(57)【要約】  【課題】  可動ルーバにおけるルーバ軸の強度を高め、耐久性を向上させることが可能な浴室暖房機を提供する。  【解決手段】  浴室の天井部に設置される本体内に、浴室内の空気を循環させる循環用送風機と、この循環用送風機より浴室内へ吹出す空気を加熱する加熱用熱交換器とが収容され、浴室内へ吹出す空気の吹出口１７に可動ルーバ１６を設け、この可動ルーバ１６を駆動するためのルーバ駆動用モータ３０の駆動軸３１を、可動ルーバ１６のルーバ軸３１の軸心方向に設けられた非円形の軸穴２８に挿入して、可動ルーバ１６を駆動軸３１に連結する構成の浴室暖房機である。そして、軸穴２８が設けられたルーバ軸２７の外周に、防錆性に優れた金属製補強環２９を嵌着してなる構成とし、ルーバ軸の強度を高めつつ、浴室における高温・高湿の条件下での金属製補強環の錆の発生を抑止し、可動ルーバの耐久性を向上させる。【選択図】      図４
2007218543.tif 000002
【特許請求の範囲】
【請求項１】
浴室の天井部に設置される本体内に、浴室内の空気を循環させる循環用送風機と、この循環用送風機より浴室内へ吹出す空気を加熱する加熱用熱交換器とが収容され、浴室内へ吹出す空気の吹出口に可動ルーバを設け、この可動ルーバを駆動するためのルーバ駆動用モータの駆動軸を、可動ルーバのルーバ軸の軸心方向に設けられた非円形の軸穴に挿入して、前記可動ルーバを前記駆動軸に連結する構成の浴室暖房機において、前記軸穴が設けられたルーバ軸の外周に、防錆性に優れた金属製補強環を嵌着してなることを特徴とする浴室暖房機。
【請求項２】
前記金属製補強環は、ステンレス鋼で作られていることを特徴とする請求項１に記載の浴室暖房機。
【請求項３】
前記可動ルーバとルーバ軸とは、合成樹脂の一体成型品であることを特徴とする請求項１に記載の浴室暖房機。
【発明の詳細な説明】
【技術分野】
【０００１】
本発明は、浴室の天井部に設置され、浴室内の暖房、乾燥及び換気などを行う浴室暖房機に関する。
【背景技術】
【０００２】
従来一般に、この種の浴室暖房機として、浴室の天井部に設置される本体内に、浴室内の空気を循環させる循環用送風機と、この循環用送風機より浴室内へ吹出す空気を加熱する加熱用熱交換器とが収容され、浴室内へ吹出す空気の吹出口に風向調節用の可動ルーバを設けた浴室暖房機が知られている（例えば、特許文献１）。
【特許文献１】特開２００３−１６６７２６号公報
【発明の開示】
【発明が解決しようとする課題】
【０００３】
ところで、上記した従来構成の浴室暖房機では、吹出口に風向調節用の可動ルーバが設けられ、この可動ルーバを駆動するためのルーバ駆動用モータの駆動軸を、可動ルーバのルーバ軸の軸心方向に設けられた非円形の軸穴に挿入することにより、可動ルーバをルーバ駆動用モータの駆動軸に連結させる構成となっている。そして、前記ルーバ軸は、合成樹脂により可動ルーバと一体成型されており、しかも、浴室暖房機が、高温、高湿の条件下となる浴室に設置される関係上、長期間の使用により、合成樹脂で成型されたルーバ軸が劣化し、そのルーバ軸に割れが発生して可動ルーバが作動しなくなったり、可動ルーバが外れたりする心配があった。
【０００４】
本発明は、上述の実情に鑑みてなされたものであり、可動ルーバにおけるルーバ軸の強度を高め、耐久性を向上させることが可能な浴室暖房機の提供を目的としている。
【課題を解決するための手段】
【０００５】
請求項１にかかる発明では、浴室の天井部に設置される本体内に、浴室内の空気を循環させる循環用送風機と、この循環用送風機より浴室内へ吹出す空気を加熱する加熱用熱交換器とが収容され、浴室内へ吹出す空気の吹出口に可動ルーバを設け、この可動ルーバを駆動するためのルーバ駆動用モータの駆動軸を、可動ルーバのルーバ軸の軸心方向に設けられた非円形の軸穴に挿入して、前記可動ルーバを前記駆動軸に連結する構成の浴室暖房機において、前記軸穴が設けられたルーバ軸の外周に、防錆性に優れた金属製補強環を嵌着してなることを特徴とする。
【０００６】
請求項２にかかる発明では、請求項１に記載の浴室暖房機において、前記金属製補強環は、ステンレス鋼で作られていることを特徴とする。
【０００７】
請求項３にかかる発明では、請求項１に記載の浴室暖房機において、前記可動ルーバとルーバ軸とは、合成樹脂の一体成型品であることを特徴とする。
【発明の効果】
【０００８】
本発明によれば、浴室の天井部に設置される本体内に、浴室内の空気を循環させる循環用送風機と、この循環用送風機より浴室内へ吹出す空気を加熱する加熱用熱交換器とが収容され、浴室内へ吹出す空気の吹出口に可動ルーバを設け、この可動ルーバを駆動するためのルーバ駆動用モータの駆動軸を、可動ルーバのルーバ軸の軸心方向に設けられた非円形の軸穴に挿入して、前記可動ルーバを前記駆動軸に連結する構成の浴室暖房機において、前記軸穴が設けられたルーバ軸の外周に、防錆性に優れた金属製補強環を嵌着してなる構成であるから、可動ルーバのルーバ軸が外周に嵌着された金属製補強環によって補強され強度を高めることが可能であるのはもちろんのこと、浴室における高温・高湿の条件下でも金属製補強環の錆の発生が抑止され、可動ルーバの耐久性を著しく向上させることができる。
【発明を実施するための最良の形態】
【０００９】
本発明の浴室暖房機は、浴室の天井部に設置される本体内に、浴室内の空気を循環させる循環用送風機と、この循環用送風機より浴室内へ吹出す空気を加熱する加熱用熱交換器とが収容され、浴室内へ吹出す空気の吹出口に可動ルーバを設け、この可動ルーバを駆動するためのルーバ駆動用モータの駆動軸を、可動ルーバのルーバ軸の軸心方向に設けられた非円形の軸穴に挿入して、前記可動ルーバを前記駆動軸に連結する構成の浴室暖房機において、前記軸穴が設けられたルーバ軸の外周に、防錆性に優れた金属製補強環を嵌着してなる構成であり、以下に本発明の実施形態について説明する。
【実施例１】
【００１０】
次に、本発明の実施の形態について図１乃至図６に基づいて説明する。図１は本発明の一実施例を示す浴室暖房機の斜視図、図２は同じく浴室暖房機を浴室の天井部に設置した状態を説明する説明図、図３は同じく化粧パネル単体の一部切欠斜視図、図４は同じく浴室暖房機の要部の一部切欠断面図、図５は吹出口形成枠に対して可動ルーバとルーバ駆動用モータとを取り外した状態の分解斜視図、図６は同じく可動ルーバの一部を切欠した要部平面図である。
【００１１】
図１乃至図６において、１は浴室Ａの天井部２に設置された浴室暖房機本体であり、この浴室暖房機本体１は、例えば、天井裏に吊り下げられた４本の吊り下げボルト３、３にて吊り下げられる合成樹脂製で箱体状の本体ケース４と、この本体ケース４の下面部に取り付けられる合成樹脂製の化粧パネル５とを備えており、前記本体ケース４の下面部は、天井部２に設けられた設置用開口部６に臨ませている。
【００１２】
前記本体ケース４内には、浴室Ａ内の空気を循環させる回転数を可変とした循環用送風機７の循環用ファン７Ａと、この循環用ファン７Ａより浴室Ａ内へ吹出す空気を加熱する加熱用熱交換器８とが、本体ケース４内に形成された循環用送風路９に配置されて収容されている。
【００１３】
また、前記本体ケース４内には、前記循環用ファン７Ａより風下側の循環用送風路９の途中から分岐するように換気用送風路１０が形成されており、この換気用送風路１０には、
浴室Ａ内の空気をダクト接続具１１及び排気ダクト（図示せず）を介して屋外へ排出する回転数を可変とした換気用送風機１２の換気用ファン１２Ａ及び換気用ファンケース１２Ｂが配置されている。１２Ｃは前記換気用ファン１１Ａを駆動する換気用モータであり、この換気用モータ１２Ｃは、それの外周が椀状のモータカバー１２Ｄで覆われている。
【００１４】
前記加熱用熱交換器８には、屋外に設置されるガス焚き式、石油焚き式、或いは電気加熱式などを含む熱源機（図示せず）から、温水配管（図示せず）を介して温水が循環供給される。
【００１５】
図１及び図３に示すように、前記化粧パネル５は、平面視において概ね横長矩形状を呈しており、その短手方向の中央部分には、長手方向に沿うように後述する吹出口形成枠１３を浴室Ａに臨ませるための横長矩形状開口部１４が形成されている。そして、図２に示すように、前記横長矩形状開口部１４の一側部には、前記循環用送風路９の入口部９Ａに対応する空気吸込口１５が形成されている。
【００１６】
また、前記化粧パネル５は、前記浴室Ａ側から前記本体ケース４の下面部及び前記設置用開口部６周縁の天井部２の一部を覆うように本体ケース４に取り付けられるものである。
【００１７】
次に、前記した吹出口形成枠１３の構成について詳述する。この吹出口形成枠１３は、全体が合成樹脂にて作られ、前記循環用送風路９の出口部９Ｂにネジ止め固定される。そして、この吹出口形成枠１３は、前記循環用ファン７Ａからの空気の吹出方向を調節する一つの可動ルーバ１６を配置した空気吹出口１７を形成してなるものである。
【００１８】
前記吹出口形成枠１３は、空気吹出口１７の長手方向の一側部に短寸側閉塞面部１８が、他側部に長寸側閉塞面部１９がそれぞれ形成され、さらに、空気吹出口１７の４辺の口縁部には、それぞれ立壁２０〜２３が形成されている。そして、これら立壁２０〜２３のうち、前記可動ルーバ１６が取り付けられる取り付け部となる左右の立壁２２、２３には、円形の軸受孔２４、２５がそれぞれ設けられている。また、前記立壁２０〜２３は、例えば、約３０〜５０ｍｍの所定の高さ寸法に設定されている。
【００１９】
前記可動ルーバ１６は、長手方向の左右両端部に外向きに突出する円柱状のルーバ軸２６、２７を一体に有し、これらルーバ軸２６、２７における左方のルーバ軸２６は、合成樹脂製のスペーサＳを介して前記左方の立壁２２の軸受孔２４に挿通され、一方、右方のルーバ軸２７は、スペーサを介さずに右方の立壁２３の軸受孔２５に挿通される。このようにして、前記可動ルーバ１６は吹出口形成枠１３の右右の立壁２３、２４に回動可能に保持される。ここで、前記可動ルーバ１６と左右のルーバ軸２６、２７とは、合成樹脂の一体成型品である。
【００２０】
前記可動ルーバ１６における右方のルーバ軸２７は、それの軸心方向に、正面視が非円形（概ね四角形）で、かつ、所定の深さ寸法を有する軸穴２８が穿設されるとともに、それの外周には、防錆性に優れたステンレススチール製（例えば、ＳＵＳ３０４製）の金属製補強環２９が無理嵌めにて嵌着一体化され、合成樹脂製である前記右方のルーバ軸２７の強度を高めた構成としている。
【００２１】
ところで、図４及び図５に示すように、前記可動ルーバ１６を上下動させるためのルーバ駆動用モータ３０が、前記吹出口形成枠１３における右方の立壁２３の外側に取り付けられている。
【００２２】
このルーバ駆動用モータ３０は、それの駆動軸３１を複数段階（例えば、４段階）で正逆回転可能としたステッピングモータが用いられ、複数の取り付け用突片３２、３２を前記立壁２３に設けられ複数の取り付け用ボス部３３、３３にネジ３４、３４止めすることで固定される。
【００２３】
そして、前記ルーバ駆動用モータ３０の駆動軸３１は、それの先端部が所定長さに亙って正面視が非円形（概ね略四角形）の角柱状に形成された金属製の軸であり、その角柱状部分を前記右方のルーバ軸２７の軸穴２８に密着状態で嵌合挿入することにより、前記可動ルーバ１６をルーバ駆動用モータ３０の駆動軸３１に連結させる構成である。また、３５は前記立壁２３とルーバ駆動用モータ３０との間に介在させたパッキン材である。
【００２４】
上記構成において、例えば、浴室の壁に設置したリモートコントローラ（図示せず）を操作して、「強運転」又は「弱運転」で暖房運転を行うと、熱源機（図示せず）からの温水が加熱用熱交換器８に循環供給され、この加熱用熱交換器８の温度が所定温度に上昇すると、ルーバ駆動用モータ３０が駆動して、可動ルーバ１６が下向きに回動し、空気吹出口１７が開放される。
【００２５】
このとき、可動ルーバ１６は、予め設定操作された風向が、連続上下動の設定であれば、連続的に上下動を繰り返し、また、４段階のうちの何れかの段階の設定であれば、設定された位置に保持される。
【００２６】
ここで、循環用送風機７が運転を開始すると、空気吸込口１５及び浄化フィルター（図示せず）を通って本体ケース４内の循環用送風路９に流入した浴室Ａの空気は、加熱用熱交換器８によって昇温される。この温度上昇した空気は、循環用ファン７Ａで加速されて空気吹出口１７に流れ、この空気吹出口１７から可動ルーバ１６によって風向が定められて浴室Ａへと吹出され、浴室Ａの温風暖房が行われる。
【００２７】
次に、上述の暖房運転が停止すると、循環用送風機７の運転が停止し、加熱用熱交換器８への温水供給が停止し、可動ルーバ１６が水平位置に戻り、空気吹出口１５が可動ルーバ１６で閉さがれる。
【００２８】
尚、暖房運転について述べたが、その他に、換気用送風機１２を運転させて浴室Ａの空気を屋外へ排出する「換気運転」、加熱用熱交換器８への温水供給を行わずに循環用送風機７を運転させる「涼風運転」、加熱用熱交換器８への温水供給と循環用送風機７及び換気用送風機１２の運転を同時に行う「乾燥運転」も実行可能である。
【００２９】
本実施例によれば、浴室Ａの天井部２に設置される浴室暖房機本体１内に、浴室Ａ内の空気を循環させる循環用送風機７の循環用ファン７Ａと、この循環用ファン７Ａより浴室Ａ内へ吹出す空気を加熱する加熱用熱交換器８とが収容され、浴室Ａ内へ吹出す空気の空気吹出口１７に風向を調節する可動ルーバ１６を設け、この可動ルーバ１６を駆動するためのルーバ駆動用モータ３０の駆動軸３１を、可動ルーバ１６のルーバ軸２７の軸心方向に設けられた非円形の軸穴２８に挿入して、前記可動ルーバ１６を前記駆動軸３１に連結する構成の浴室暖房機であり、前記軸穴２８が設けられたルーバ軸２７の外周に、防錆性に優れたステンレススチール製の金属製補強環２９を無理嵌めにて嵌着一体化させてなる構成である。
【００３０】
そのため、可動ルーバ１６のルーバ軸２７が外周に嵌着されたステンレススチール製の金属製補強環２９によって補強されて強度を高めることが可能であり、ルーバ駆動用モータ３０の駆動軸３１の回転力が加わることによるルーバ軸２７の割れの発生や破損及びそれらに起因するルーバ軸２７の脱落などの不具合を未然に防止可能である。その上、金属製補強環２９が、ＳＵＳ３０４などのステンレススチール製であるから、浴室Ａにおける高温・高湿の条件下でも金属製補強環２９の錆の発生が抑止されため、可動ルーバ１６とルーバ軸２６、２７とを合成樹脂の一体成型品とした可動ルーバ１６における耐久性を著しく向上させることが可能である。
【００３１】
尚、上述の実施例においては、可動ルーバ１６のルーバ軸２６、２７のうち、右方のルーバ軸２７は、スペーサを介さずに右方の立壁２３の軸受孔２５に挿通される構成としたが、外周に金属製補強環２９を嵌着一体化させた状態で、左方のルーバ軸２６と同様に、合成樹脂製のスペーサを介して右方の立壁２３の軸受孔２５に挿通させるようにしても良い。また、右方のルーバ軸２７に金属製補強環２９を無理嵌めにて嵌着一体化させてなる構成であるが、さらに、ルーバ軸２７と金属製補強環２９との間に接着剤を介在させてそれらを接着一体化しても良い。
【００３２】
以上本発明の実施態様について説明したが、上述の説明に基づいて当業者にとって種々の代替例、修正又は変形が可能であり、本発明の主旨を逸脱しない範囲で前述の種々の代替例、修正又は変形を包含するものである。
【図面の簡単な説明】
【００３３】
【図１】本発明の一実施例を示す浴室暖房機の斜視図である。
【図２】同じく浴室暖房機を浴室の天井部に設置した状態を説明する説明図である。
【図３】同じく化粧パネル単体の一部切欠斜視図である。
【図４】同じく浴室暖房機の要部の一部切欠断面図である。
【図５】同じく吹出口形成枠に対して可動ルーバとルーバ駆動用モータとを取り外した状態の分解斜視図である。
【図６】同じく可動ルーバの一部を切欠した要部平面図である。
【符号の説明】
【００３４】
Ａ      浴室
１      浴室暖房機本体（本体）
２      天井部
４      本体ケース
５      化粧パネル
７      循環用送風機
７Ａ    循環用ファン
８      加熱用熱交換器
９      循環用送風路
１０      換気用送風路
１２      換気用送風機
１３      吹出口形成枠
１５      空気吸込口
１６      可動ルーバ
１７      空気吹出口（吹出口）
２２      左方の立壁
２３      右方の立壁
２４      軸受孔
２５      軸受孔
２７      ルーバ軸
２８      軸穴
２９      金属製補強環
３０      ルーバ駆動用モータ
３１      駆動軸
【図１】
2007218543.tif 000003
【図２】
2007218543.tif 000004
【図３】
2007218543.tif 000005
【図４】
2007218543.tif 000006
【図５】
2007218543.tif 000007
【図６】
2007218543.tif 000008